(57)【要約】【課題】プリント生産装置において、プリント処理中の画像を容易に特定可能にする。【解決手段】プリント用紙に画像をプリントするプリント生産装置１００に備えられる搬送ローラ対ｒ２〜ｒ８には、リーダライタ２ａ、リーダ３ａが設置されており、リーダライタ２ａ、リーダ３ａは、装置内で搬送されているペーパーＰに組み込まれた無線ＩＣタグ１０から、プリント対象の画像の識別情報（画像ＩＤ）を読み取り、この読み取った画像ＩＤと、ペーパーＰの検出位置と、ペーパーＰの検出時刻を、ペーパーＰの検出情報としてホストコンピュータ１１０に出力する。ホストコンピュータ１１０では、入力されたペーパーＰの検出情報をモニタ１９０に表示する。【選択図】    図２
2004289743.tif 000002
【特許請求の範囲】
【請求項１】
プリント用紙に画像をプリントするプリント生産装置において、
前記プリント用紙には、非接触で電子情報の読み書きが可能な記録媒体が設けられ、
装置内で搬送されているプリント用紙の記録媒体から、プリント対象の画像の識別情報を読み取る情報読取部と、
前記情報読取部により読み取られた画像の識別情報を表示する表示部と、
を備えることを特徴とするプリント生産装置。
【請求項２】
装置内で搬送されているプリント用紙を検出する検出部を備え、
前記表示部は、前記検出部によりプリント用紙が検出された位置に関する情報を更に表示することを特徴とする請求項１に記載のプリント生産装置。
【請求項３】
前記表示部は、前記検出部によりプリント用紙が検出された時刻を更に表示することを特徴とする請求項２に記載のプリント生産装置。
【請求項４】
前記情報読取部は、プリント用紙を搬送するためのローラに備えられていることを特徴とする請求項１〜３の何れか一項に記載のプリント生産装置。
【請求項５】
前記検出部は、プリント用紙を搬送するためのローラに備えられていることを特徴とする請求項２〜４の何れか一項に記載のプリント生産装置。
【請求項６】
前記プリント用紙の記録媒体にプリント対象の画像の識別情報を記録する情報記録部を備えることを特徴とする請求項１〜５の何れか一項に記載のプリント生産装置。
【請求項７】
プリント用紙に画像をプリントするプリント生産方法において、
前記プリント用紙には、非接触で電子情報の読み書きが可能な記録媒体が設けられ、
装置内を搬送しているプリント用紙の記録媒体から、プリント対象の画像の識別情報を読み取る情報読取工程と、
前記情報読取工程において読み取られた画像の識別情報を表示する表示工程と、
を含むことを特徴とするプリント生産方法。
【請求項８】
装置内で搬送されているプリント用紙を検出する検出工程を含み、
前記表示工程において、前記プリント用紙が検出された位置に関する情報が更に表示されることを特徴とする請求項７に記載のプリント生産方法。
【請求項９】
前記表示工程において、前記プリント用紙が検出された時刻が更に表示されることを特徴とする請求項８に記載のプリント生産方法。
【請求項１０】
画像をプリントするためのプリント用紙において、
非接触で電子情報の読み書きが可能な記録媒体を備え、
前記記録媒体には、プリント対象の画像の識別情報が記録されることを特徴とするプリント用紙。
【発明の詳細な説明】
【０００１】
【発明の属する技術分野】
本発明は、プリント生産装置、プリント生産方法及びプリント用紙に関する。
【０００２】
【従来の技術】
従来、写真、ポストカード、シールプリント等のプリント生産物を生産するプリント生産装置では、プリント処理中にジャム等の異常が発生した場合、プリント生産装置の表示モニタに、異常の原因や、異常が発生した箇所を表示することによって、プリント生産装置のオペレータに異常に関する情報を通知していた（例えば、特許文献１参照。）。
【０００３】
【特許文献１】
特開平７−１８６４９６号公報
【０００４】
【発明が解決しようとする課題】
しかしながら、従来のプリント生産装置では、プリント処理中の画像に関する情報（例えば、画像データのファイル名）を通知する機能がなかったため、プリント処理中にジャム等の異常が発生した場合、異常発生によりプリントができなかった画像を即座に特定することができないという問題があった。
【０００５】
本発明の課題は、プリント生産装置において、プリント処理中の画像を容易に特定可能にすることである。
【０００６】
【課題を解決するための手段】
請求項１記載の発明は、
プリント用紙に画像をプリントするプリント生産装置において、
前記プリント用紙には、非接触で電子情報の読み書きが可能な記録媒体が設けられ、
装置内で搬送されているプリント用紙の記録媒体から、プリント対象の画像の識別情報を読み取る情報読取部と、
前記情報読取部により読み取られた画像の識別情報を表示する表示部と、
を備えることを特徴としている。
【０００７】
請求項２に記載の発明は、請求項１に記載のプリント生産装置において、
装置内で搬送されているプリント用紙を検出する検出部を備え、
前記表示部は、前記検出部によりプリント用紙が検出された位置に関する情報を更に表示することを特徴としている。
【０００８】
請求項３に記載の発明は、請求項２に記載のプリント生産装置において、
前記表示部は、前記検出部によりプリント用紙が検出された時刻を更に表示することを特徴としている。
【０００９】
請求項４に記載の発明は、請求項１〜３の何れか一項に記載のプリント生産装置において、
前記情報読取部は、プリント用紙を搬送するためのローラに備えられていることを特徴としている。
【００１０】
請求項５に記載の発明は、請求項２〜４の何れか一項に記載のプリント生産装置において、
前記検出部は、プリント用紙を搬送するためのローラに備えられていることを特徴としている。
【００１１】
請求項６に記載の発明は、請求項１〜５の何れか一項に記載のプリント生産装置において、
前記プリント用紙の記録媒体にプリント対象の画像の識別情報を記録する情報記録部を備えることを特徴としている。
【００１２】
請求項７に記載の発明は、
プリント用紙に画像をプリントするプリント生産方法において、
前記プリント用紙には、非接触で電子情報の読み書きが可能な記録媒体が設けられ、
装置内を搬送しているプリント用紙の記録媒体から、プリント対象の画像の識別情報を読み取る情報読取工程と、
前記情報読取工程において読み取られた画像の識別情報を表示する表示工程と、
を含むことを特徴としている。
【００１３】
請求項８に記載の発明は、請求項７に記載のプリント生産方法において、
装置内で搬送されているプリント用紙を検出する検出工程を含み、
前記表示工程において、前記プリント用紙が検出された位置に関する情報が更に表示されることを特徴としている。
【００１４】
請求項９に記載の発明は、請求項８に記載のプリント生産方法において、
前記表示工程において、前記プリント用紙が検出された時刻が更に表示されることを特徴としている。
【００１５】
請求項１０に記載の発明は、
画像をプリントするためのプリント用紙において、
非接触で電子情報の読み書きが可能な記録媒体を備え、
前記記録媒体には、プリント対象の画像の識別情報が記録されることを特徴としている。
【００１６】
本発明によれば、プリント用紙に、非接触で電子情報の読み書きが可能な記録媒体を設け、装置内で搬送されているプリント用紙の記録媒体から、プリント対象の画像の識別情報を読み取るようにしたことにより、プリント生産中の画像を容易に特定することが可能になる。
【００１７】
また、搬送中のプリント用紙を検出し、検出位置及び／又は検出時刻を表示するようにしたことにより、プリント用紙の搬送状態を容易に把握することが可能になる。
【００１８】
【発明の実施の形態】
以下、図を参照して本発明の実施の形態を詳細に説明する。
まず、構成を説明する。
【００１９】
図１は、本発明を適用した実施の形態におけるプリント生産装置１００の外観構成を示す斜視図である。図１に示すように、プリント生産装置１００の筐体１の内側には、感光材料（以下、ペーパーＰと称す。）に露光を行う露光装置２００と、露光されたペーパーＰを現像処理する現像装置３００が備えられている。また、筐体１の上部には、プリント生産装置１００の各部を統括的に制御するホストコンピュータ１１０と、フィルムスキャナ６００と、現像装置３００の現像処理により得られたプリント生産物を仕分けるソータ４００が備えられている。
【００２０】
次に、図２を参照して、プリント生産装置１００を構成する各装置について説明する。
【００２１】
まず、ホストコンピュータ１１０について説明する。
ホストコンピュータ１１０は、キーボード、メディアリーダ１４０、ＣＤ（Ｃｏｍｐａｃｔ  Ｄｉｓｋ）ドライブ１５０、フラットベットスキャナ１７０、タッチパネル１８０と一体型のモニタ１９０から構成される。
【００２２】
ホストコンピュータ１１０は、フラットベットスキャナ１７０によりプリント写真から読み取られた画像データ、フィルムスキャナ６００によりフィルムから読み取られた画像データ、或いはメディアリーダ１４０又はＣＤドライブ１５０に装着された記録媒体から読み取られた画像データに対して各種画像処理を施し、露光用画像情報を生成して露光装置２００に出力する。
【００２３】
また、ホストコンピュータ１１０は、キーボード又はタッチパネル１８０の操作により、フラットベットスキャナ１７０、フィルムスキャナ６００、メディアリーダ１４０、ＣＤドライブ１５０の何れか１つから読み取られた画像データのプリント指示があると、その画像データに対して画像ＩＤ（識別番号）を付与し、画像ＩＤと、その画像データのファイル名を対応付けて画像情報テーブル１１０ａ（後述、図３参照）に格納する。更に、ホストコンピュータ１１０は、プリント対象の画像の画像ＩＤを、ループアンテナ付搬送ローラ対ｒ２に設置されたリーダライタ２ａ（後述、図７参照）に送信する。
【００２４】
また、ホストコンピュータ１１０は、露光装置２００、現像装置３００、ソータ４００に設置されたループアンテナ付搬送ローラ対ｒ１〜ｒ８の各々に設置されたリーダ又はリーダライタから、ペーパーＰの検出情報が入力されると、その検出情報をモニタ１９０に表示させる（図８参照）。ペーパーＰの検出情報には、ペーパーＰに備えられた無線ＩＣタグ１０（後述）から読み取られた画像ＩＤと、ペーパーＰの検出位置と、ペーパーＰの検出時刻に関する情報が含まれる。以後、ループアンテナ付搬送ローラ対を単に「搬送ローラ対」と称す。
【００２５】
また、ホストコンピュータ１１０は、各搬送ローラにおけるペーパーＰの検出時刻が予測時刻を超えた場合又はペーパーＰが予測時刻になっても検出されない場合、ジャムが発生したと判断し、モニタ１９０に、ジャムが発生した箇所（即ち、発生箇所に対応する搬送ローラ対の位置）と、プリント処理中であった画像の画像ＩＤを表示させる（図９参照）。
【００２６】
また、ホストコンピュータ１１０は、図３に示すような画像情報テーブル１１０ａを格納している。画像情報テーブル１１０ａは、「画像ＩＤ」項目と、「ファイル名」項目とを対応付けて格納する。「画像ＩＤ」項目は、フラットベットスキャナ１７０、フィルムスキャナ６００、メディアリーダ１４０、ＣＤドライブ１５０等から読み取られた画像のＩＤ（識別情報）を格納する。「ファイル名」項目は、読み取られた画像のファイル名を格納する。
【００２７】
次に、露光装置２００について説明する。
露光装置２００は、マガジン２１０から露光部２５０にペーパーＰを搬送する搬送部２４０と、ホストコンピュータ１１０により指示されたタイミングでマガジン２１０から搬送されたペーパーＰをカットするカッター装置８００と、カッター装置８００によりカットされたペーパーＰに露光を行う露光部２５０と、を有する。なお、図２において、点線で示す搬送ルートＲは、ペーパーＰが搬送される経路を示している。
【００２８】
搬送部２４０は、マガジン２１０から送出されたペーパーＰを搬送する搬送ローラ対ｒ１と、カッター装置８００で切断されたペーパーＰを露光部２５０に搬送する搬送ローラ対２４２、露光部２５０においてペーパーＰを搬送する搬送ローラ対２４５、２４８を有する。なお、搬送ローラ対ｒ１、２４２は円筒形のローラであり、搬送ローラ対２４５、２４８は溝ローラである。また、搬送部２４０を構成する搬送ローラ対の数は特に限定されない。
【００２９】
搬送ローラ対ｒ１には、ペーパーＰにおける無線ＩＣタグ１０の組み込み位置を検出するリーダ１ａが設置される。この位置検出は、カッター装置８００によりペーパーＰを切断する際に、無線ＩＣタグ１０の切断を防ぐとともに、切断済みの各ペーパーＰに少なくとも１つの無線ＩＣタグ１０が組み込まれるように切断のタイミングを調整するために行われる。
【００３０】
露光部２５０には、露光用画像情報に基づいて、青色光を発光する青色用露光ヘッド２５１と、緑色光を発光する緑色用露光ヘッド２５２と、赤色光を発光する赤色用露光ヘッド２５３とが、露光時の主走査方向がペーパーＰの搬送方向に対して垂直になるように設けられている。青色用露光ヘッド２５１と緑色用露光ヘッド２５２は、複数の複数の発光部が搬送部２４０の搬送方向と直交する方向に２列の直線上に点線状に配列されたＶＦＰＨ（蛍光プリントヘッド）であり、赤色用露光ヘッド２５３は、複数の発光部が搬送部２４０の搬送方向と直交する方向に１列の直線上に点線状に配列されたＬＥＤアレイ（発光ダイオードアレイ）である。
【００３１】
そして、青色用露光ヘッド２５１から発光した青色光と、緑色用露光ヘッド２５２から発光した緑色光と、赤色用露光ヘッド２５３から発光した赤色光とは、セルフォックスレンズによりそれぞれ切断済みのペーパーＰ上に結像され、露光が行われる。露光処理されたペーパーＰは、その無線ＩＣタグ１０に、搬送ローラ対ｒ２に設置されたリーダライタ２ａにより画像ＩＤが記録された後、現像装置３００に搬送される。
【００３２】
次に、現像装置３００について説明する。
図２に示すように、現像装置３００は、露光装置２００から送出されたペーパーＰを発色現像する発色現像処理槽３１０と、発色現像されたペーパーＰを漂白定着処理する漂白定着処理槽３２０と、漂白定着処理されたペーパーＰを安定化処理する安定化処理部３３０と、安定化処理されたペーパーＰを乾燥処理する乾燥処理部３４０と、を有する。乾燥処理されたペーパーＰは、プリント生産物としてソータ４００に送出される。
【００３３】
現像装置３００も、ペーパーＰを搬送する複数の搬送ローラ対を有するが、これらの搬送ローラ対のうち、ペーパーＰがＵターンする部分に配置された搬送ローラ対ｒ３〜ｒ７に、リーダ３ａが設置されている（図２参照）。
【００３４】
ソータ４００は、複数の排紙トレイを有し、ホストコンピュータ１１０からの指示に従って、現像装置３００から送出されたプリント生産物の仕分けを行って各排紙トレイに排出する。ソータ４００も、複数の搬送ローラ対を有するが、これらの搬送ローラ対のうち、出口付近に備えられた搬送ローラ対ｒ８に、リーダ３ａが設置されている。
【００３５】
搬送ローラ対ｒ３〜ｒ８に設置されたリーダ３ａは、搬送されたペーパーＰの無線ＩＣタグ１０から、画像ＩＤを読み取ってホストコンピュータ１１０に出力する。また、リーダ３ａは、無線ＩＣタグ１０を検出したことを示す検出信号を、検出位置情報（搬送ローラ対の位置情報）としてホストコンピュータ１１０に出力する。
【００３６】
なお、リーダ１ａ、リーダ３ａ、リーダライタ２ａの設置場所は、露光処理や現像処理等に影響を与えない場所であればよく、特に限定されない。また、本実施の形態におけるプリント生産装置１００は、ペーパーＰの片面に画像をプリントする装置であるが、両面プリントが可能なプリント生産装置においても本発明を適用することができる。両面プリントが可能なプリント生産装置の場合、無線ＩＣタグ１０には、両面にプリントされる画像のＩＤが記録される。
【００３７】
次に、図４を参照して、プリント生産に用いられるペーパーＰについて説明する。図４は、ペーパーＰの外観図である。図４に示すように、ペーパーＰは、支持体層とハロゲン化銀等の感光材料からなる感光層とから構成されたシート状のペーパーがロール形成されたものである。
【００３８】
ペーパーＰには、無線ＩＣタグ１０が、ロール軸方向の中央部に、所定間隔毎に組み込まれる。なお、無線ＩＣタグ１０の組み込みは、ペーパーＰにプリントされる画像に影響しないのであれば特にその組み込み方法は限定せず、支持体層側に貼付する、或いは感光層と支持体層との間に挟み込むこととしてもよい。
【００３９】
次に、図５を参照して、ペーパーＰに組み込まれる無線ＩＣタグ１０の機能的構成について説明する。
【００４０】
無線ＩＣタグ１０は、図５に示すように、アンテナ１１、送受信回路１２、電源回路１３、制御回路１４、メモリ１５から構成される。本実施の形態では、無線ＩＣタグの通信方式として、電磁誘導方式を適用した例を説明するが、電磁結合方式、マイクロ波方式、光方式等、その他の通信方式であってもよい。
【００４１】
アンテナ１１は、ループアンテナを備え、リーダライタから送信された電波信号を受信し、受信した信号を送受信回路１２に出力する。また、送受信回路１２からの入力信号をリーダ又はリーダライタに送信する。
【００４２】
送受信回路１２は、アンテナ１１からの入力信号を復調して制御回路１４に出力する。また、制御回路１４からの入力信号を変調増幅し、アンテナ１１に出力する。
【００４３】
電源回路１３は、アンテナ１１を介してプリント生産装置１００から受信した電波を電圧に変換し、無線ＩＣタグ１０の各部への電源供給を行う。
【００４４】
制御回路１４は、送受信回路１２からの入力信号に応じて、メモリ１５への情報の書き込み（記録）動作を行う。また、制御回路１４は、メモリ１５に記録された情報の読み出し動作を行い、読み出した情報（信号）の変調増幅を指示する信号を送受信回路１２に出力する。
【００４５】
メモリ１５は、制御回路１４による書き込み動作により各種情報を記憶している。
【００４６】
次に、図６を参照して、搬送ローラ対ｒ１〜ｒ８について説明する。
無線ＩＣタグ１０が組み込まれたペーパーＰを搬送する搬送ローラ対ｒ１〜ｒ８の上側のローラには、図６（ａ）に示すようなループアンテナや送受信回路（不図示）等が取り付けられている。図６（ｂ）に示すように、ローラの内側は樹脂、外側はゴムで構成されており、ローラの円周に沿って、４つのループアンテナが９０度間隔で、樹脂とゴムの間に組み込まれている（図６（ｃ）の展開図参照）。
【００４７】
なお、図６では、１つの円筒形のローラから構成された搬送ローラ対にループアンテナが取り付けられている場合を示しているが、複数の小型の円筒形のローラが串団子のように配置された搬送ローラ対に対しても、図６で示すような、ループアンテナ等を取り付けることが可能である。
【００４８】
次に、図７を参照して、搬送ローラ対ｒ２に設置されたリーダライタ２ａについて説明する。なお、搬送ローラ対ｒ１、ｒ３〜ｒ８に設置されたリーダ１ａ、３ａは、リーダライタ２ａと同一の機能的構成を有するため、その図示及び説明を省略する。
【００４９】
リーダライタ２ａは、図７に示すように、アンテナ５１、送受信回路５２、制御回路５３、Ｉ／Ｆ５４から構成される。
【００５０】
アンテナ５１は、図６に示すようなループアンテナを備え、無線ＩＣタグから送信された電波信号を受信し、受信した信号を送受信回路１６２に出力する。また、送受信回路５２からの入力信号を無線ＩＣタグに送信する。
【００５１】
送受信回路５２は、アンテナ５１からの入力信号を復調して制御回路５３に出力する。また、制御回路５３からの入力信号を変調増幅し、アンテナ５１に出力する。
【００５２】
制御回路５３は、送受信回路５２からの入力信号をホストコンピュータ１１０に出力するための指示信号をＩ／Ｆ部５４に出力する。また、制御回路５３は、無線ＩＣタグ１０に送信する信号の変調増幅を指示する信号を送受信回路５２に出力する。
【００５３】
Ｉ／Ｆ部５４は、ホストコンピュータ１１０とリーダライタ２ａの間で通信を行うためのインターフェイスである。
【００５４】
次に、本実施の形態における動作を説明する。
写真等の画像のプリント注文が受け付けられ、キーボード又はタッチパネル１８０の操作により、フラットベットスキャナ１７０、フィルムスキャナ６００、メディアリーダ１４０、ＣＤドライブ１５０の何れか１つから読み取られた画像データのプリント指示があると、その読み取られた画像データに対して画像ＩＤが付与され、その画像ＩＤと、画像データのファイル名が対応付けられて画像情報テーブル１１０ａに格納される。次いで、プリント対象の画像データの画像ＩＤが、搬送ローラ対ｒ２に設置されたリーダライタ２ａに送信される。
【００５５】
次いで、プリント対象の画像データに画像処理が施され、露光用の画像情報が生成され、この露光用の画像情報が露光装置２００に出力される。次いで、マガジン２１０からペーパーＰの搬送が開始され、搬送ローラ対ｒ１に設置されたリーダ１ａによって、搬送中のペーパーＰにおける無線ＩＣタグ１０の組み込み位置の検出情報が、ホストコンピュータ１１０に出力される。
【００５６】
ホストコンピュータ１１０では、入力されたペーパーＰの検出情報に基づいて、カッター装置８００における切断タイミングが決定され、そのタイミング情報がカッター装置８００に出力される。
【００５７】
カッター装置８００では、ホストコンピュータ１１０から入力されたタイミング情報に基づいて、搬送中のペーパーＰが切断される。切断されたプリントサイズのペーパーＰは露光装置２００に搬送され、露光装置２００では、搬送されたペーパーＰに対して露光用画像情報に基づく露光処理が行われる。露光処理が終了した各ペーパーＰは、現像装置３００の方へ搬送される。
【００５８】
現像装置３００の搬送途中において、搬送ローラ対ｒ２に設置されたリーダライタ２ａにより、各ペーパーＰの無線ＩＣタグ１０に、プリント対象の画像データの画像ＩＤが記録される。画像ＩＤが記録された各ペーパーＰは、現像装置３００に搬送され、現像処理が施される。そして、現像処理が施された各ペーパーＰは、ソータ４００に送出されて、同一のプリント注文に属するペーパーＰ毎に仕分けされ、ソータ４００の排紙トレイに排出される。
【００５９】
また、現像装置３００、ソータ４００の搬送途中において、搬送ローラ対ｒ３〜ｒ８に設置されたリーダ３ａから、ペーパーＰの無線ＩＣタグに記録された画像ＩＤが読み取られ、読み取られた画像ＩＤ、ペーパーＰの検出位置（搬送ローラ対の位置）、検出時刻がペーパーＰの検出情報としてホストコンピュータ１１０に出力される。ホストコンピュータ１１０では、入力された検出情報を、図８に示すように、モニタ１９０に表示させる。モニタ１９０には、図８に示すように、プリント対象の画像データの画像ＩＤ、ペーパーＰの検出位置（即ち、搬送ローラ対の位置情報）、ペーパーＰの検出時刻に関する情報が表示される。
【００６０】
各搬送ローラにおけるペーパーＰの検出時刻が予測時刻を超えた場合又はペーパーＰが予測時刻になっても検出されない場合、ジャムが発生したと判断され、モニタ１９０には、図９に示すように、ジャムが発生した箇所（即ち、発生箇所に対応する搬送ローラ対の位置）と、プリント処理中であった画像の画像ＩＤが表示される。ジャム発生によりプリントができなかった画像のデータは、ホストコンピュータ１１０に保持され、その保持された画像データに基づいて、再度、プリント処理が行われる。
【００６１】
以上のように、本実施の形態のプリント生産装置１００によれば、ペーパーＰに無線ＩＣタグ１０を組み込み、ペーパーＰを搬送している途中で、各搬送ローラ対に設置されたリーダによって、無線ＩＣタグ１０に記録された画像ＩＤを読み取れるようにしたことにより、プリント処理中の画像データを容易に特定することができる。
【００６２】
また、各搬送ローラ対に設置されたリーダ１ａ、３ａ、リーダライタ２ａが、無線ＩＣタグ１０を検出したことを示す情報を、ペーパーＰの検出位置情報としてホストコンピュータ１１０に通知する機能を有することにより、ペーパーＰの搬送位置を容易に把握することが可能になる。特に、ジャム等の異常が発生した場合、異常発生箇所と、プリントができなかった画像のＩＤを通知することができ、再プリントが必要な画像を確実に特定することが可能になる。
【００６３】
なお、本実施の形態における記述内容は、本発明の趣旨を逸脱しない範囲で適宜変更可能である。
【００６４】
【発明の効果】
本発明によれば、プリント用紙に、非接触で電子情報の読み書きが可能な記録媒体を設け、装置内で搬送されているプリント用紙の記録媒体から、プリント対象の画像の識別情報を読み取るようにしたことにより、プリント生産中の画像を容易に特定することが可能になる。
【００６５】
また、搬送中のプリント用紙を検出し、検出位置及び／又は検出時刻を表示するようにしたことにより、プリント用紙の搬送状態を容易に把握することが可能になる。
【図面の簡単な説明】
【図１】本発明を適用した実施の形態のプリント生産装置１００の外観構成を示す斜視図である。
【図２】プリント生産装置１００の正面内部透視図である。
【図３】ホストコンピュータ１１０に格納される画像情報テーブル１１０ａのデータ構成例を示す図である。
【図４】プリント用のペーパーＰにおける無線ＩＣタグ１０の組み込み例を示す図である。
【図５】図４の無線ＩＣタグ１０の機能的構成を示す図である。
【図６】アンテナ付き搬送ローラ対ｒ１〜ｒ８におけるループアンテナの設置例（同図（ａ））、ローラの断面図（同図（ｂ））及びローラの展開図（同図（ｃ））を示す図である。
【図７】図２のリーダ１ａ、リーダライタ２ａ、リーダ３ａの機能的構成を示す図である。
【図８】モニタ１９０に表示されるプリント搬送状態の画面表示例を示す図である。
【図９】モニタ１９０に表示されるジャム発生時の画面表示例を示す図である。
【符号の説明】
１０    無線ＩＣタグ
１ａ、３ａ  リーダ（情報読取部、検出部）
２ａ    リーダライタ（情報読取部、検出部、情報記録部）
５１    アンテナ
５２    送受信回路
５３    制御回路
５４  Ｉ／Ｆ
１００    プリント生産装置
１１０    ホストコンピュータ
１１０ａ  画像情報テーブル
１９０    モニタ（表示部）
２００    露光装置
３００    現像装置
４００    ソータ
８００    カッター装置
ｒ１〜ｒ８    ループアンテナ付搬送ローラ対
Ｐ    ペーパー（プリント用紙）
【図１】
2004289743.tif 000003
【図２】
2004289743.tif 000004
【図３】
2004289743.tif 000005
【図４】
2004289743.tif 000006
【図５】
2004289743.tif 000007
【図６】
2004289743.tif 000008
【図７】
2004289743.tif 000009
【図８】
2004289743.tif 000010
【図９】
2004289743.tif 000011